(57)【要約】      （修正有）【課題】ワインやビール等の容器を開閉する際は、打栓器やコルク抜、栓抜等の他の器具を要し、手間、力が必要だった。又、密封性や脱気性等の面で利用者の需要に不足する点があった。密封容器の栓の着脱を簡便、安定的、省力的にし、同時に密封性、脱気性、通気性、抗菌、殺菌性等の機能を備えたスクリューキャップ内部栓（コルク等）一体型栓を提供する。【解決手段】スクリューキャップ１と、内部栓２（コルク等）を一体化する。又、スクリューキャップをグリップ性の高い素材と形状（グリップ４）にし、スクリュー溝を容器内側や内部栓にも設ける変化形回転補助レバー等の補助部品を用いる変化形等により、簡便、安定的、省力的に着脱することができる。あるいは、被覆素材に、密封性、脱気、通気性、抗菌、殺菌性等の機能を備えた多機能性素材を用いる事により、内容物や利用者の需要に応じた機能を栓に備える。【選択図】図２
2016074476.tif 000002
【特許請求の範囲】
【請求項１】
スクリューキャップ（１）と内部栓（コルク等）（２）を一体化したスクリューキャップ内部栓（コルク）一体型栓（３）
【請求項２】
グリップ性の高い素材、形状（４）により従来の製品より簡便、安定的に脱着可能なスクリューキャップ（１）
【請求項３】
スクリューキャップ（１）の変化型として、従来の金属又はプラスチック素材により完全密封するものの他（５）
・一部（主に頭部）（コルク等内部栓素材）を露出させる型（６）
・任意の密封性、脱気性、通気性、抗菌性、殺菌性等の機能を設けた多機能性被覆材（７）を用いる型（８）
【請求項４】
スクリュー溝の設置方法として従来の容器外部溝（９）の他
・容器内側溝（１０）、内部栓（コルク等）にも溝を設ける型（１１）
・上記を複数組み合わせる複合型
【請求項５】
・スクリューキャップの回転操作性を向上させる機能として
・レバーをスクリューキャップに内蔵させる変化型（１２）
・スクリューキャップのグリップ部に、利用の都度装着し
より、安定的、省力的に回転着脱させるための補助器具として
・レバー回転式補助器具（１３）
・カバー式  補助器具（１４）
【発明の詳細な説明】
【技術分野】
【０００１】本発明は
・打栓器やコルク抜等、他の器具を使わずに、コルク等の内部栓を簡便、安定的、省力的に着脱することができる。
・部品素材に、密封性、脱気性、通気性、抗菌性  殺菌性等の機能を備えた多機能性素材を用いることにより、内容物の性質や目的とする機能に応じて密封、脱気、通気、抗菌、殺菌その他の機能を備えることができる。
等、容器栓に関するものである。
【背景技術】
【０００２】従来、ワインやビール等の容器は、コルクやスクリューキャップ、王冠、バネつきふた等により栓をしていた。
【発明の概要】
【発明が解決しようとする課題】
【０００３】従来の容器密封栓には次の様な欠点があった。
イ）コルク、王冠等は打栓器やコルク等、他の器具を要し力と手間がかかり、非力や無器用な者には利用しづらい点があった。
ロ）密封機能の点でも、従来のスクリューキャップは、密封性は高いが、ワイン等、微量の脱気を必要とする内容物等、一定の通気性も確保したい場合には、密封性が高すぎ又、一度栓を開けると密封性が低下する。
ハ）バネ付ふた等の場合、部品が大きく開閉にスペースを要し、ふたが邪魔になる等、操作性の点で不安定さがあった。
ニ）まほうびん等で採用されている栓の場合、脱気、通気性の点で需要に適合しない場合があった。
【発明を解決するための手段】
【０００４】・スクリューキャップ（１）と内部栓（２）を一体化する。（３）
・スクリューキャップ（１）のグリップ部（４）にグリップ性の高い素材を用いることにより、従来製品より簡便、安定的、省力的に着脱可能となる。
・スクリューキャップ（１）の変化型として
・一部（主に頭部）のコルク等内部栓素材を露出する型（６）
・多機能性被覆材（７）を用いる型（８）
・スクリュー溝の設置方法として
従来の容器外部溝（９）の他
・容器内側溝（１０）、内部栓（コルク等）（２）に溝を設ける（１１）、又はそれらを複合する型
・回転補助レバーをスクリューキャップに内蔵させる型（１２）
・回転補助部品を、利用の都度装着する補助器具
・レバー回転式補助器具（１３）
・カバー式補助器具（１４）
以上の構成よりなる、スクリューキャップ内部栓（コルク等）一体型栓
【発明の効果】
【０００５】本発明を利用することによって
・打栓器やコルク抜等の他の器具を用いずにコルク等の栓を、簡便、安定的、省力的に着脱できるようになる。
・コルク等の微量の通気機能を持つ素材と、スクリューキャップの着脱簡便性、密封機能等の各々の利点と欠点を、両者を一体化し、多機能素材等とあわせて利用することにより、相互に補い利用者の需要や内容物の性質、求める機能に応じて選択することができる。
【図面の簡単な説明】
【０００６】
【図１】本発明のスクリューキャップ内部栓（コルク等）の斜視図
【図２】スクリューキャップの基本構造を示す斜視図
【図３】スクリューキャップの変化型を示す斜視図
【図３−１】完全密封型スクリューキャップの斜視図
【図３−２】内部栓（コルク等）素材を露出させることにより通気機能を設けるスクリューキャップの斜視図
【図３−３】多機能性被覆材を用いたスクリューキャップの斜視図
【図４】スクリュー溝の設置方法の変化型を示す斜視図
【図４−１】スクリュー溝を容器外側に設ける場合を示す斜視図
【図４−２】スクリュー溝を容器内側に設ける場合を示す斜視図
【図５】スクリューキャップの着脱補助器具の例を示す斜視図
【図５−１】レバー回転式補助器具の斜視図
【図５−２】カバー式補助器具の斜視図
【図６】本発明の構成要素の複合型を示す断面図
【発明を実施するための形態】
【０００７】以下本発明の実施の形態を説明する。
基本構成  スクリューキャップ（１）と内部栓（コルク等）（２）を一体化する（３）スクリューキャップの回転操作性を向上させる機能として
・スクリューキャップ（１）のグリップ部（４）にグリップ性の高い素材形状（凹凸）を用いる。
・スクリュー溝の設置方法の変化型として、従来の容器外部溝（９）の他、容器内側溝（１０）、内部栓（コルク等）（２）に溝を設ける変化型（１１）
・回転補助レバーをスクリューキャップに内蔵させる変化型（１２）
・回転補助部品を利用の都度装着する補助器具として
レバー回転式補助器具（１３）    カバー式補助器具（１４）    等
密封性、脱気、通気性、抗菌、殺菌性等の機能として
・一部（主に頭部）の内部栓（コルク等）素材を露出させる型（６）
・活性炭、Ａｇ等抗菌、殺菌素材、逆浸透膜等の多機能性被覆素材（７）  を用いる型（８）
【符号の説明】
【０００８】  １  スクリューキャップ
２  内部栓（コルク等）
３  スクリューキャップ内部栓（コルク等）一体型栓
４  グリップ
５  完全密封型スクリューキャップ
６  一部（主に頭部）のコルク等内部栓素材を露出する型のスクリューキャップ内部栓（コルク等）一体型栓
７  多機能性被覆材
８  多機能性被覆材を用いたスクリューキャップ内部栓（コルク等）一体型栓
９  容器外部溝
１０  容器内側溝
１１  内部栓（コルク等）に溝を設ける型
１２  回転補助レバーを１〜３に内蔵させる型（１２）
１３  レバー回転式補助器具（１３）
１４  カバー式補助器具（１４）
【図１】
2016074476.tif 000003
【図２】
2016074476.tif 000004
【図３】
2016074476.tif 000005
【図４】
2016074476.tif 000006
【図４−２】
2016074476.tif 000007
【図５】
2016074476.tif 000008
【図６】
2016074476.tif 000009
【手続補正書】
【提出日】平成27年1月23日(2015.1.23)
【手続補正１】
【補正対象書類名】明細書
【補正対象項目名】０００６
【補正方法】変更
【補正の内容】
【０００６】
【図１】本発明のスクリューキャップ内部栓（コルク等）一体型栓の利用イメージ図
【図２】スクリューキャップ内部栓（コルク等）一体型栓の基本構造を示す斜視図
【図３】スクリューキャップの変化型の例を示す斜視図  〔図３−１〕は、完全密封型スクリューキャップの斜視図  〔図３−２〕は、内部栓（コルク等）素材を露出させることにより通気機能を設けるスクリューキャップの変化型の例を示す斜視図  〔図３−３〕は、多機能性被覆材を用いたスクリューキャップの変化型の例を示す斜視図
【図４】スクリュー溝の設置方法の変化型の例を示す斜視図であり、スクリュー溝を容器外側に設ける場合の例を示す斜視図
【図４−２】スクリュー溝の設置方法の変化型の例を示す斜視図であり、スクリュー溝を容器内側に設ける場合の例を示す斜視図
【図５】スクリューキャップの着脱補助器具の例を示す斜視図  〔図５−１〕は、レバー回転式補助器具の例を示す斜視図  〔図５−２〕は、カバー式補助器具の例を示す斜視図
【図６】本発明の構成要素の複合型の例を示す断面図
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
スクリューキャップ（１）と内部栓（２）を一体化したスクリューキャップ内部栓一体型栓（３）であって、前記内部栓は、容器の口部の内部に挿入されるものであり、スクリューキャップ（１）は、前記口部の外周を取り囲むように設けられた内周面を有し、前記内周面には、前記口部の外周に形成されたおねじ溝と嵌合するめねじ溝が形成されている、一体型栓。
【請求項２】
前記内部栓はコルク製であり、当該内部栓は、その頭部が外気に露出するように設けられている、請求項１に記載の内部栓（６）。
【請求項３】
前記内部栓はコルク製であり、当該内部栓の頭部は、通気性を有する被覆材（７）によって覆われており、当該被覆材はその頭部が外気に露出するように設けられている、請求項１に記載の内部栓。
【手続補正２】
【補正対象書類名】明細書
【補正対象項目名】０００４
【補正方法】変更
【補正の内容】
【０００４】請求項１に記載の発明は、スクリューキャップ（１）と内部栓（２）を一体化したスクリューキャップ内部栓一体型栓（３）であって、前記内部栓は、容器の口部の内部に挿入されるものであり、スクリューキャップ（１）は、前記口部の外周を取り囲むように設けられた内周面を有し、前記内周面には、前記口部の外周に形成されたおねじ溝と嵌合するめねじ溝が形成されている、一体型栓（図２、図４、図６参照）。である。
請求項２に記載の発明は、前記内部栓はコルク製であり、当該内部栓は、その頭部が外気に露出するように設けられている、請求項１に記載の内部栓（６）（図３−２、図６参照）。である。
請求項３に記載の発明は、前記内部栓はコルク製であり、当該内部栓の頭部は、通気性を有する被覆材（７）によって覆われており、当該被覆材はその頭部が外気に露出するように設けられている、請求項１に記載の内部栓（図３−３、図６参照）。である。